(57)【要約】【課題】  口径が異なる２本のパイプの接合について、細い方のパイプを差し込むだけで結合し、締め付けボルトを介してパイプの軸方向を調整し、固着せしめる装置を提供する。【解決手段】  太いポール１に受け材２と受け材３をポール外部からクロス状に穿けた穴に差し込み中央部でクロスするよう固定して受け台をつくる。４は細い上部ポールで端部に短欠き込み４ａと長欠き込み４ｂを各２箇所づつ交互に作る。太いポールの受け台に細いパイプの切り欠き部を嵌合させれば細いパイプは固定される。５は鍔状リングで太いポール１とのスペーサーにすると共に太いパイプの蓋になるよう２段状リングとする。太いパイプに３カ所ほどのネジ穴を切り、ボルト６で締め付けて双方のパイプを固結する。ボルト６の締め付け深さを調整することにより、細いパイプの軸角度を調整できる。【選択図】図１
0003136674.tif 000002
【実用新案登録請求の範囲】
【請求項１】
口径の異なるパイプの接続方法において太いパイプにセットする十字形に取り付ける受け台と、細いパイプに切り欠き部をつくり、これらを嵌合させることにより細いパイプのパイプの軸に直角方向への移動と回転を防ぐことを特徴とする装置。
【請求項２】
請求項１記載の受け台に嵌合させた細いパイプの軸の角度を調整し、双方のパイプを固着させる鍔状リング
【考案の詳細な説明】
【技術分野】
【０００１】  本考案は径違いの２本のアンテナポール状の接続方法に関する考案である。
【背景技術】
【０００２】  従来、異径のパイプの接続にはフランジ接合と呼ばれる夫々のパイプの切り口にボルト穴のあけた円形の板（フランジ）を溶接し、それを相合わせてボルトで結合するものが主である。この方法は流体用配管の接続には有効だがアンテナポールやマスト類の接続には不適当であり、美感もそこねている。特にアンテナの用途に用いるときはケーブル類がこのフランジと干渉する。干渉を防ぐ為パイプから離した位置でケーブル配線を行っているが、暴風時にはダンシングと呼ばれるケーブルの暴れがありポールに相当の負荷が掛かる。また高所において接続ボルトを平均の力で締めるのは時間もかかり危険性もある。
【考案の開示】
【考案が解決しようとする課題】
【０００３】  細い方のパイプを太い方のパイプに差込むだけで接続はほぼ終了する。太いパイプの側面に付けたボルトを締めることにより角度調整と共に固結作業が完結する。細いパイプと太いパイプの径の差が大きくても細い方のパイプの自重を利用して、ガタツキやグラツキを防ぎフランジのような突起物を出さないで繋ぐことができる。
【課題を解決するための手段】
【０００４】  太いパイプの方に受け台を設ける。この受け台はパイプや丸鋼などを十の字形にクロスさせ、太いパイプ外部からドリルなどで穿孔して挿入し溶接などして固定する。細いパイプの下部にこのクロス受け台に合わせた切り欠きを作って落し込み、嵌合させれば前後左右どの方向にも移動することはなくまた回転もしない。細い方のパイプには太いパイプの径に合わせた鍔状のリングを嵌めて固着する。鍔状リングには３カ所のネジ穴をあけ、ボルトの締め付け深さを調整することにより細いパイプの軸角度を調整できる。
【考案の効果】
【０００５】  フランジ接合方式ではフランジ材の強度とボルトナットの強度に依存して接合するが、本案ではパイプ自身の強度により力学的接合を図る。また細いパイプの重量が嵌合部に必然的に掛かることによりガタツキが防げる。使用するボルト類も普通ボルトでよく、高価な高力ボルトを使う必要はなく、ボルト数も大幅に低減できる。またフランジやその補強リブプレートなどが不要になるため、すっきりして美感も良く、さらにケーブル類やフィーダーなどの配線が容易になる。ポールの軸角度が調整できるので施工が容易になる。
【考案を実施するための最良の形態】
【０００６】  太いほうのパイプのに通し穴を段違いクロス状に穿ける。位置はパイプの切り口から径の３〜６倍くらいのところが力学的に適当と思われる。パイプや丸鋼などを双方の穴に差し込み固定し受け台とする。パイプの外側から加工できるので取り付け位置は自由に選択できる。  細い方のパイプの端部には前述のクロスした受け台に見合う切れ込みを作る。双方のパイプがここで嵌合し、パイプの重量がここに掛かり前後左右に動かず又回転もしない。  細い方のパイプに鍔状のリングを固定してパイプのスペーサーとし、また雨水の浸入を防ぐと共にこの位置でも上部パイプの荷重を支えることができる。
【実施例】
【０００７】  以下、添付図面に従って一実施例を説明する。この例はアンテナポールの場合である。１は太い下部ポールであり、受け材２と受け材３はパイプや丸鋼などでパイプを貫通させ中央部でクロスするよう固定する。４は細い上部ポールで端部に短欠き込み４ａと長欠き込み４ｂを各２箇所つくる。５は鍔状リングで太いポール１とのスペーサーにすると共に太いパイプの蓋になるよう２段状リングとする。太いパイプに３カ所ほどのネジ穴を切り、ボルト６で締め付けて双方のパイプを固結する。ボルト６の締め付け深さを調整することにより、細いパイプの軸角度を調整できる。
【図面の簡単な説明】
【０００８】
【図１】接合部を示した断面図である。
【図２】受け台の平面図である。
【図３】細いパイプの切り欠きを示した縦断面図である。
【符号の説明】
【０００９】  １    太いパイプ
２    受け材
３    受け材
４    細いパイプ
４ａ  短欠き込み
４ｂ  長欠き込み
５    鍔状リング
６    ボルト
【図１】
0003136674.tif 000003
【図２】
0003136674.tif 000004
【図３】
0003136674.tif 000005
【手続補正書】
【提出日】平成19年7月9日(2007.7.9)
【手続補正１】
【補正対象書類名】実用新案登録請求の範囲
【補正対象項目名】全文
【補正方法】変更
【補正の内容】
【実用新案登録請求の範囲】
【請求項１】
口径の太いパイプと、このパイプの内径より細い支柱（以下挿入体と称す）の挿入接続方法について（１）太いパイプの側面外部から通し穴をパイプに直角方向に２段かつ十字状にあけ、金属棒、パイプ若しくは通しボルトを挿し通して固結して挿入体の受け台とし、（２）挿入体の先端部には（１）の受け台に対応する溝または切り欠き部を作り、この挿入体を太いパイプに挿入した時に嵌合するようにし、（３）挿入体には太いパイプの内径を外径とする鍔状リングを嵌めて装着し、この鍔状リングが太いパイプ内部に納まるよう固着し、（４）さらに太いパイプの側面外部にボルト穴をタッピングしてボルトで挿入体を締め付け、以上を組み合わせて、太いパイプに挿入体を挿入した時、挿入体の移動、回転およびガタツキを防ぐ接続装置。
【手続補正３】
【補正対象書類名】明細書
【補正対象項目名】全文
【補正方法】変更
【補正の内容】
【考案の詳細な説明】
【技術分野】
【０００１】  本考案は径違いの２本のアンテナ支柱の接続方法に関する考案である。
【背景技術】
【０００２】  従来アンテナ支柱にはパイプが多く使われており、異径のパイプの接続にはフランジ接合と呼ばれる夫々のパイプの切り口にボルト穴のあけた円形の板（フランジ）を溶接し、それを合わせてボルトで結合するものである。この方法は流体用配管の接続には有効だがアンテナポールやマスト類の接続には不便で美感もそこねている。特にアンテナや避雷針の用途に用いるときはケーブル類がこのフランジと干渉し不便である。また重量も面積も大きいので地震時や暴風時の負荷が大きい。
【考案の開示】
【考案が解決しようとする課題】
【０００３】  細い方の支柱を太い方のパイプに差込み、締付ボルトで固定すればガタツクことなく連結する。細いパイプと太いパイプの径の差が大きくても細い方の支柱の自重を利用して、フランジのような突起物を出さないで繋ぐことができる。また、細い方の支柱にはパイプに限らず材種、材形を問わず太いパイプにすっぽり挿入できるものであればどんなアンテナ支柱も例外なく接続することができる。
【課題を解決するための手段】
【０００４】  太いパイプの方に受け台を設ける。この受け台は金属棒、パイプ又はボルト（以下、受け台材と称す）で十字形にクロスさせて太いパイプの繋ぎ位置より少し離れた場所に固定する。細い支柱の挿入先端部に十字形の受け台に合わせた溝や切り込みを作って落し込み、嵌合させれば前後左右どの方向にも移動することはない。また回転もしない。太い方のパイプの内径に合わせた鍔状のリングを嵌めて太いパイプの接合内部にガタツキを防ぐように固定してスペーサーとする。太いパイプの受け台部で鉛直方向の荷重を受け、鍔状リング部で左右方向の荷重を支持し、接合部の外側から締付ボルトで固定すれば径の異なる支柱はガッチリと接続する。
【考案の効果】
【０００５】  フランジ接合方式ではフランジ材の強度とボルトナットの強度に依存して接合するが、本案ではパイプ自身の強度により力学的接合を図る。また細い支柱の重量が嵌合部に必然的に掛かることによりガタツキが防げる。使用するボルト類も普通ボトでよく、高価な高力ボルトを使う必要はなく、ボルト数も大幅に低減できる。またフランジやその補強リブプレートなどが不要になるため、すっきりして美感も良く、さらにケーブル類やフィーダーなどの配線が容易になる。
【考案を実施するための最良の形態】
【０００６】  太いほうのパイプに受け台用の通し穴を２段かつ十字形にクロス状にあける。このとき片方の穴は挿しこむ受け台材径の分だけずらす。位置は太いパイプの上縁部から細い支柱径の３〜６倍くらいのところが力学的に適当と思われる。受け台材を双方の穴に差込み、パイプ中央で９０°クロスするように固結する。  細い方の支柱の挿入部先端には前述のクロスした受け台に適応する溝や切れ欠き部を作る。細い支柱を太いパイプに挿入して連結するが、このとき細い支柱の先端部が受け台と嵌合し、重量がここに掛かり前後左右に動かず又回転もしない。  細い方の支柱に鍔状のリングを着装してスペーサーとする。鍔状リングの径を太いパイプの外径と内径に合わせた径違いの２段のリング状にすればスペーサー兼雨蓋となる。
【実施例】
【０００７】  以下、添付図面に従って一実施例を説明する。この例はアンテナポールの場合である。１は太い下部ポールであり、受け台２と受け台３は受け台材で太いパイプを貫通させ中央部でクロスするよう固定する。４は細い上部ポールで挿入端部に短欠き込み４ａと長欠き込み４ｂを各２箇所つくる。５は鍔状リングで太いポール１とのスペーサーになるよう細いポール４に固着する。６は締付ボルトで細いパイプと太いパイプが外力によりはずれないように固定する。
【図面の簡単な説明】
【０００８】
【図１】接合部を示した断面図である。
【図２】Ａ−Ａ断面図である。
【符号の説明】
【０００９】  １          太いパイプ  ２          受け台  ３          受け台  ４          細いパイプ  ４ａ        短欠き込み  ４ｂ        長欠き込み  ５          鍔状リング  ６          締付ボルト